(57)【要約】【課題】クワシロカイガラ虫の孵化を抑制する効果的な散水時間および止水時間を作成し、この散水時間・止水時間による間欠散水制御を行うことにより茶樹の枝に寄生するクワシロカイガラ虫を効率的で的確に防除することができるカイガラ虫防除散水制御装置を提供する。【解決手段】カイガラ虫防除散水制御装置からインターバル時間内において１０分の散水時間と、散水時間の複数倍の止水時間を繰り返す信号が出力される。電磁弁３は散水時間になると、バルブ機構を駆動し水をスプリンクラー４に供給し散水する。止水時間になるとスプリンクラー４への水供給を停止する。この間欠散水動作を繰り返すことにより茶樹の枝に寄生するクワシロカイガラ虫を効果的に防除することができる。【選択図】図１
0003149357.tif 000002
【実用新案登録請求の範囲】
【請求項１】
電磁弁をオンオフすることによりバルブ機構を作動させてパイプの水の供給・停止を制御し、パイプからの水を茶樹に散水させるカイガラ虫防除散水制御装置であって、
該カイガラ虫防除散水制御装置は、
カイガラ虫防除散水制御装置を動作させるインターバル時間を選択するための第１のスイッチ手段と、
固定時間の散水時間ｔr に対し略複数倍の止水時間ｔs を選択するための第２のスイッチ手段と、
前記第１のスイッチ手段で選択したインターバル時間の間、前記散水時間ｔr と前記第２のスイッチ手段で選択した止水時間ｔs を作成し、散水時間ｔr 終了後、止水のための信号と止水時間ｔs 終了後、散水のための信号を繰り返し出力する散水・止水時間制御部と、
該カイガラ虫防除散水制御装置を動作させるための電池などによる電源装置と、
を備え、
前記止水のための信号と散水のための信号により前記電磁弁を作動させ、散水時間および止水時間を制御することを特徴とするカイガラ虫防除散水制御装置。
【請求項２】
散水中に止水するための操作部を設けたことを特徴とする請求項１記載のカイガラ虫防除散水制御装置。
【請求項３】
前記固定時間の散水時間ｔr は略１０分であり、
前記第２のスイッチ手段で選択するための複数倍の止水時間ｔs は略２０分，略３０分・・・であることを特徴とする請求項１または２記載のカイガラ虫防除散水制御装置。
【請求項４】
前記インターバル時間は３時間，６時間，９時間，１２時間の何れかを選択できることを特徴とする請求項１，２または３記載のカイガラ虫防除散水制御装置。
【考案の詳細な説明】
【技術分野】
【０００１】
本考案は茶樹の枝に寄生するクワシロカイガラ虫を防除するため散水を制御するカイガラムシ虫防除散水制御装置に関する。
【背景技術】
【０００２】
茶園においてクワシロカイガラムシが発生すると、茶樹の芽伸びを悪くするだけでなく、枝や株が枯死する被害が発生する。
これを防除する方法として薬剤散布による方法が行われている。薬剤散布の種々のクワシロ専用ノズルの開発によりかなり的確な防除が可能になっている。しかしながら、十分な防除効果を得るためには大量の薬液が必要であり、しかも散布した薬液の半分程度が茶樹の地面に散逸するという問題があった。
【０００３】
クワシロカイガラムシのふ化は、高湿度および湛水条件下で抑制され、ふ化開始以降、日中常に茶樹の枝が濡れるようにスプリンクラーで断続的に散水することで、クワシロカイガラムシのふ化を抑制することが知られている。
クワシロカイガラムシは年間３〜４世代が発生し、ふ化時期に雨が少ない世代では密度が高く、雨が多い世代では密度が低い傾向が認められる。このため湿度条件によってクワシロカイガラムシのふ化に与える影響は大きいと考えられるからである。
【０００４】
そこで、スクリンプラー散水がクワシロカイガラムシの防除に有効であるが、従前はそのための散水によるクワシロカイガラムシの防除装置は存在しない。
従来、一般的な灌水のための散水装置として散水時間と停止時間を例えば数秒単位で１分〜１２時間調整できるものが存在する。また、調整できる時間も散水時間と停止時間は同じ時間である。このように調整できるのは特定の害虫を防止するためではなく灌水が目的だからである。
【０００５】
上記のような灌水を目的とした散水装置として特許文献１，２などが提案されている。
【特許文献１】特開２００１−８６８８６号公報
【特許文献２】特開２００２−２３８３７８号公報
【考案の開示】
【考案が解決しようとする課題】
【０００６】
このような背景から本件出願人は、クワシロカイガラムシのふ化率などの生態系を把握した効果的な防除ができる散水制御装置が必要であると考えた。
【０００７】
本考案は、上記状況に鑑みなしたもので、その目的はクワシロカイガラ虫の孵化を抑制する効果的な散水時間および止水時間を作成し、この散水時間・止水時間による間欠散水制御を行うことにより茶樹の枝に寄生するクワシロカイガラ虫を効率的で的確に防除することができるカイガラ虫防除散水制御装置を提供することにある。
【課題を解決するための手段】
【０００８】
前記目的を達成するために本考案の請求項１は電磁弁をオンオフすることによりバルブ機構を作動させてパイプの水の供給・停止を制御し、パイプからの水を茶樹に散水させるカイガラ虫防除散水制御装置であって、該カイガラ虫防除散水制御装置は、カイガラ虫防除散水制御装置を動作させるインターバル時間を選択するための第１のスイッチ手段と、固定時間の散水時間ｔr に対し略複数倍の止水時間ｔs を選択するための第２のスイッチ手段と、前記第１のスイッチ手段で選択したインターバル時間の間、前記散水時間ｔr と前記第２のスイッチ手段で選択した止水時間ｔs を作成し、散水時間ｔr 終了後、止水のための信号と止水時間ｔs 終了後、散水のための信号を繰り返し出力する散水・止水時間制御部と、該カイガラ虫防除散水制御装置を動作させるための電池などによる電源装置とを備え、前記止水のための信号と散水のための信号により前記電磁弁を作動させ、散水時間および止水時間を制御することを特徴とする。
本考案の請求項２は請求項１記載の考案において散水中に止水するための操作部を設けたことを特徴とする。
本考案の請求項３は請求項１または２記載の考案において前記固定時間の散水時間ｔr は略１０分であり、前記第２のスイッチ手段で選択するための複数倍の止水時間ｔs は略２０分，略３０分・・・であることを特徴とする。
本考案の請求項４は請求項１，２または３記載の考案において前記インターバル時間は３時間，６時間，９時間，１２時間の何れかを選択できることを特徴とする。
【考案の効果】
【０００９】
上記構成によればクワシロカイガラムシの防除効果が顕著である。なお、その他にハダニ・スリップス等の害虫退治も有用である。その他の使用として夏場などの乾燥時間の散水を行うことができる灌水効果がある。さらに堆肥・肥料の押さえのために用いることもできる。また、台風による塩害が発生しやすいが、かかる場合の水まきに使用できて塩害を防止できる。
【考案を実施するための最良の形態】
【００１０】
以下、図面を参照して本考案の実施の形態を詳しく説明する。
図１は、クワシロカイガラ虫を防除するためのシステムの概要を説明するための図である。
クワシロカイガラ虫散水制御装置（以下、「散水制御装置」という）と、電磁弁３の駆動によりパイプの水を給水したり、停止したりするバルブ機構２と、バルブ機構２のパイプに接続されたスプリンクラー４より構成される。スプリンクラー４に給水されると、多数のノズル３ａから茶樹５に散水される。
【００１１】
クワシロカイガラ虫は１年に３回発生し、１世代目は５月頃，２世代目は７月頃，３世代目は９月頃である。
その内５月頃発生するクワシロカイガラ虫に対しては薬剤を散布して対処できる。７月頃はクワシロカイガラ虫の発生は比較的少ない。９月頃発生する３世代目のクワシロカイガラ虫に対してはお茶を刈り取る時期であるので、薬剤を散布することは避けなければならない。そこで、本考案による散水制御装置による防除が有用となる。勿論、１世代目，２世代目でも散水による防除を行うことができる。
【００１２】
図２は本考案による散水制御装置の外観例を示す図である。
この散水制御装置の筐体寸法（縦×横×奥行き）は２００×２２３×１０１（単位ｍｍ）で小形であり、図１に示すように電磁弁バルブ機構の上に設置される。なお電磁弁バルブ機構は、乾電池の低電圧で電磁弁が駆動しバルブを開いたり，閉じたりすることができるものである。
正面の左側のインターバル選択ロータリースイッチ１１は、３時間，６時間，９時間おらび１２時間のタイマー時間をいずれかを選択するものである。
インターバル選択ロータリースイッチ１１の右側の止水時間選択ロータリースイッチ１０は固定時間１０分の散水時間に対し、２０分，３０分，４０分，５０分の止水時間のいずれかを選択するものである。この止水時間選択ロータリースイッチ１０の止水時間の選択により１０分の散水時間と選択した止水時間との繰り返し間欠散水が可能になる。
【００１３】
止水時間選択ロータリースイッチ１０の右方に散水中であることを表示する散水表示部１６および止水中であることを表示する止水表示部１７が配置されている。また止水表示部１７の下方に電源スイッチ１３が設けられている。電源スイッチ１３をオンすることによりこの散水制御装置の制御を開始する。また、動作中の散水制御装置の散水を停止する場合、電源スイッチ１３をオフすることにより止水信号を送出して止水し、その後に電源が切れる。電源スイッチ１３は散水中に止水するための操作部の機能を兼用する。
筐体下方の右側に４個の乾電池１４を有し、１．５ｖ×４＝６ｖの電源となり、散水制御装置１が駆動する。電池が所定電圧以下（例えば５．４Ｖ以下）になった場合、散水表示部１６および止水表示部１７が同時に点灯し、電池を交換すべきことを知らせる。
乾電池１４の左側に接続端子基台１５が設けられ、散水制御装置１の電気回路の各端子や電池の各端子から引き出されるケーブルの接続が行われる。
散水制御装置１はこの他に２４時間時計機能有り、初日のみ電源スイッチのオンで翌日からは同時間に立ち上がりるようになっている。
【００１４】
図３は本考案による散水制御装置の回路の実施の形態を示すブロック図である。
電源スイッチ２７を備えた電源部２３は図２の乾電池の出力であり、出力部２４にＤＣ６Ｖを、制御部２０と操作部２２にＤＣ５Ｖを供給する。操作部２２は止水時間選択ロータリースイッチ１０，インターバル選択ロータリースイッチ１１の部分であり、その操作信号は例えば選択したタイマー信号として制御部２０に送られる。
発振部２１は時間を作るための４００ｋＨｚの信号を出力する。制御部２０は操作部２２で選択されたインターバル時間や止水時間のタイマー入力信号を受け４００ｋＨｚの信号をカウントすることにより選択したインターバルの信号における散水時間と止水時間のタイマー出力信号を作成する。出力部２４はこのタイマー信号を受けて散水時間になると＋６Ｖ（０．５Ｓ幅）の散水信号を出力する。また止水時間になると−６Ｖ（０．５Ｓ幅）の止水信号を出力する。
表示部（散水表示部および止水表示部）２６は、ＬＥＤであり、電源スイッチ投入やタイマ作動時に上述したように散水中，止水中を表示する。
【００１５】
電磁弁３は散水信号を受けてバルブ機構のバルブ孔を開き水をスプリンクラーに供給する。また止水信号を受けてバルブ孔を閉じスプリンクラーに供給されている水を停止する。
バルブ機構は例えば特願２００１−３４１０２９で示す機構が用いられ、低電圧（電池電圧）動作する電磁弁をオンオフすることによりバルブ孔の開閉を行うダイヤグラム内にパイロット孔より水を導入したり、ダイヤフラム内から水を排出したりする。このように水の力を利用して電磁弁の小さい駆動力でダイヤフラムを作動させパイプの分岐部分の孔を閉じて止水したり、分岐部分の孔を開口して水を供給したりする。
【００１６】
図４は本考案による散水制御装置の回路の詳細を示す図である。
制御部２０はインターバル時間タイマ回路，散水・止水時間タイマ回路ならびに電磁弁を作動させる散水パルスおよび止水パルスを出力するＦＦ回路の機能を有する。
インターバル時間タイマ回路に入力するインターバル選択ロータリースイッチ１１の出力を例えばインターバル時間６Ｈに、止水時間選択ロータリースイッチ１０の出力を止水時間２０Ｍに選択したとすると、電源スイッチ投入により、インターバル時間タイマ回路は発振器からの４００ｋＨｚの信号をカウント・分周して６Ｈのインターバル信号を出力する。散水・止水時間タイマ回路は４００ｋＨｚの信号をカウント・分周して１０分の散水信号と２０分の止水信号の繰り返し信号を出力する。６Ｈのインターバル信号と、散水信号および止水信号の繰り返し信号はナンド回路に入力され、ナンド回路で６Ｈのインターバル時間内の散水信号および止水信号の繰り返し信号が作られ、該繰り返し信号はインバータ回路で極性を反転させられてＦＦ回路に入力する。ＦＦ回路では散水信号の立ち上がりで散水パルスが、散水信号の立ち下がり止水パルスが形成される。
【００１７】
出力部２４はトランジスタ，リレー回路およびダイオードを含むリレー駆動回路であり、電磁弁を散水止水駆動するための回路である。リレー駆動回路はＦＦ回路の散水パルスで駆動する散水リレー駆動回路部分と、ＦＦ回路の止水パルスで駆動する止水リレー駆動回路部分を備えている。散水パルスが入力したときは散水リレー駆動回路のリレーの２つの接点回路が切り替わり、電磁弁３のＲ端子に＋６Ｖが、Ｂ端子がアースとなる。電磁弁のＲ−Ｂ端子に＋６Ｖ，０．５Ｓの散水パルスが加わり、電磁弁３がバルブを開口する。また止水信号が入力したときは止水リレー駆動回路のリレーの２つの接点回路が切り替わり、電磁弁３のＲ端子がアースに、Ｂ端子が−６Ｖとなる。電磁弁のＲ−Ｂ端子に−６Ｖ，０．５Ｓの止水パルスが加わり、電磁弁３がバルブを閉じる。
【００１８】
図５は散水時間および止水時間の制御の一例を示す波形図である。
（ａ）はインターバル選択ロータリースイッチ１１の操作で選択出力されるインターバル時間ｔi の波形を示している。（ｂ）は止水時間選択ロータリースイッチ１０の操作で選択出力される止水時間ｔs と固定時間１０分の散水時間ｔr の繰り返し波形を示している。（ｃ）は散水時間ｔr の立ち上がりで出力される電磁弁開のパルス信号と、散水時間ｔr の立ち下がりで出力される電磁弁閉のパルス信号を示している。
例えば、インターバル時間ｔi が６時間であって、止水時間ｔs が２０分であれば、６時間のインターバルの間に散水１０分，止水２０分の間欠散水が繰り返し行われる。
【００１９】
このように選択したインターバル時間内で１０分の散水と選択した時間の止水を繰り返し行うことにより、散水により茶樹の枝に寄生するクワシロカイガラ虫の孵化を効果的に死滅させことができる。
【産業上の利用可能性】
【００２０】
茶園に設置される、茶樹の枝に寄生するクワシロカイガラ虫を防除するためのクワシロカイガラムシ虫防除散水制御装置である。
【図面の簡単な説明】
【００２１】
【図１】カイガラ虫を防除するためのシステムの概要を説明するための図である。
【図２】本考案による散水制御装置の外観例を示す図である。
【図３】本考案による散水制御装置の回路の実施の形態を示すブロック図である。
【図４】本考案による散水制御装置の回路の詳細を示す図である。
【図５】散水時間および止水時間の制御の一例を示す波形図である。
【符号の説明】
【００２２】
１  カイガラ虫防除散水制御装置  
２  バルブ機構  
３  電磁弁  
４  スプリンクラー    
５  茶樹            
１０  止水時間選択ロータリースイッチ
１１  インターバル選択ロータリースイッチ
１３  電源スイッチ
１４  電池
１５  接続端子基台
１６  散水表示部
１７  止水表示部
２０  制御部
２１  発振部
２２  操作部
２３  電源部
２４  出力部
【図１】
0003149357.tif 000003
【図２】
0003149357.tif 000004
【図３】
0003149357.tif 000005
【図４】
0003149357.tif 000006
【図５】
0003149357.tif 000007
【手続補正書】
【提出日】平成21年1月21日(2009.1.21)
【手続補正１】
【補正対象書類名】実用新案登録請求の範囲
【補正対象項目名】全文
【補正方法】変更
【補正の内容】
【実用新案登録請求の範囲】
【請求項１】
電磁弁をオンオフすることによりバルブ機構を作動させてパイプの水の供給・停止を制御し、パイプからの水を茶樹に散水させるカイガラ虫防除散水制御装置であって、
該カイガラ虫防除散水制御装置は、
カイガラ虫防除散水制御装置を動作させるインターバル時間を選択するための第１のスイッチ手段と、
固定時間の散水時間ｔr に対し略複数倍の止水時間ｔs を選択するための第２のスイッチ手段と、
前記第１のスイッチ手段で選択したインターバル時間の間、前記散水時間ｔr と前記第２のスイッチ手段で選択した止水時間ｔs を作成し、散水時間ｔr 終了後、止水のための信号と止水時間ｔs 終了後、散水のための信号を繰り返し出力する散水・止水時間制御部と、
該カイガラ虫防除散水制御装置を動作させるための電池などによる電源装置と、
を備え、
前記止水のための信号と散水のための信号により前記電磁弁を作動させ、散水時間および止水時間を制御することを特徴とするカイガラ虫防除散水制御装置。
【請求項２】
散水中に止水するための操作部を設けたことを特徴とする請求項１記載のカイガラ虫防除散水制御装置。
【請求項３】
前記固定時間の散水時間ｔr は略１０分であり、
前記第２のスイッチ手段で選択するための複数倍の止水時間ｔs は略２０分，略３０分，略４０分および略５０分の何れかであることを特徴とする請求項１または２記載のカイガラ虫防除散水制御装置。
【請求項４】
前記インターバル時間は３時間，６時間，９時間，１２時間の何れかを選択できることを特徴とする請求項１，２または３記載のカイガラ虫防除散水制御装置。
【手続補正２】
【補正対象書類名】明細書
【補正対象項目名】０００８
【補正方法】変更
【補正の内容】
【０００８】
前記目的を達成するために本考案の請求項１は電磁弁をオンオフすることによりバルブ機構を作動させてパイプの水の供給・停止を制御し、パイプからの水を茶樹に散水させるカイガラ虫防除散水制御装置であって、該カイガラ虫防除散水制御装置は、カイガラ虫防除散水制御装置を動作させるインターバル時間を選択するための第１のスイッチ手段と、固定時間の散水時間ｔr に対し略複数倍の止水時間ｔs を選択するための第２のスイッチ手段と、前記第１のスイッチ手段で選択したインターバル時間の間、前記散水時間ｔr と前記第２のスイッチ手段で選択した止水時間ｔs を作成し、散水時間ｔr 終了後、止水のための信号と止水時間ｔs 終了後、散水のための信号を繰り返し出力する散水・止水時間制御部と、該カイガラ虫防除散水制御装置を動作させるための電池などによる電源装置とを備え、前記止水のための信号と散水のための信号により前記電磁弁を作動させ、散水時間および止水時間を制御することを特徴とする。
本考案の請求項２は請求項１記載の考案において散水中に止水するための操作部を設けたことを特徴とする。
本考案の請求項３は請求項１または２記載の考案において前記固定時間の散水時間ｔr は略１０分であり、前記第２のスイッチ手段で選択するための複数倍の止水時間ｔs は略２０分，略３０分，略４０分および略５０分の何れかであることを特徴とする。
本考案の請求項４は請求項１，２または３記載の考案において前記インターバル時間は３時間，６時間，９時間，１２時間の何れかを選択できることを特徴とする。